(57)【要約】【課題】必要な再資源化技術データの検索を容易かつ適格に行うことができる再資源化技術検索システムを提供する。【解決手段】未利用物質名及び未利用物質成分の少なくとも一つを含む項目により分類された再資源化技術データベースＤＢ１と、再資源化技術データベースＤＢ１から特定の再資源化技術データを検索する検索手段１０とを備えている。検索手段１０は、入力手段１０ａと、抽出手段１０ｂと、入力手段１０ａに入力されたキーワードを類似関係にある類似ワードに対応させる類義語データベースＤＢ５と、類義語データベースＤＢ５からキーワードと類似ワードとを対応させる対応手段１０ｃとを有している。抽出手段１０ｂは再資源化技術データベースＤＢ１からキーワード又は類似ワードを含む再資源化技術データを抽出する。【選択図】        図２
2004310661.tif 000002
【特許請求の範囲】
【請求項１】
複数の再資源化技術データからなり、未利用物質名及び未利用物質成分の少なくとも一つを含む項目により分類された再資源化技術データベースと、該再資源化技術データベースから特定の該再資源化技術データを検索する検索手段とを備え、
該検索手段は、該未利用物質名及び該未利用物質成分の少なくとも一つの入力を求める入力手段と、該再資源化技術データベースから該入力手段に入力されたキーワードを含む前記再資源化技術データを抽出する抽出手段と、該入力手段に入力された該キーワードを類似関係にある類似ワードに対応させる類義語データベースと、該類義語データベースから該キーワードと該類似ワードとを対応させる対応手段とを有し、
前記抽出手段は該再資源化技術データベースから該キーワード又は該類似ワードを含む該再資源化技術データを抽出することを特徴とする再資源化技術検索システム。
【請求項２】
前記再資源化技術データベースは、未利用物質の種類、未利用物質状態、排出側業種及び排出側業種詳細を含み、前記検索手段は、前記未利用物質名、前記未利用物質成分、該未利用物質の種類、該未利用物質状態、該排出側業種及び該排出側業種詳細の少なくとも一つにより、前記抽出手段によって抽出された前記再資源化技術データに重み付けを行なう重み付け手段を有することを特徴とする請求項１記載の再資源化技術検索システム。
【発明の詳細な説明】
【０００１】
【発明の属する技術分野】
本発明は再資源化技術検索システムに関する。
【０００２】
【従来の技術】
今日までの大量生産・大量廃棄の社会システムによって、資源の枯渇や環境負荷物質の増大は深刻な問題となっている。２１世紀における持続可能な発展を維持するためには、これまでの社会システムの変換が求められており、そのための新しいコンセプトとしてゼロエミッションがある。ゼロエミッションは、資源生産性の向上及び環境負荷物質排出の最小化によって実現される。
【０００３】
かかる状況下、従来、様々な排出側業種によって排出される廃棄物等の未利用物質に関する再資源化技術データを提供者とユーザとの間で仲介する再資源化技術検索システムが提案されている（例えば、特許文献１参照。）。この再資源化技術検索システムは提供者のサーバコンピュータに用いられており、そのサーバコンピュータにはユーザのクライアントコンピュータがネットワークを介して接続可能になっている。サーバコンピュータには、複数の再資源化技術データからなり、未利用物質名及び未利用物質成分の少なくとも一つを含む項目により分類された再資源化技術データベースと、再資源化技術データベースから特定の再資源化技術データを検索する検索手段とが備えられている。
【０００４】
ユーザは、この再資源化技術検索システムによって特定の再資源化技術データを取得し、その再資源化技術データに基づいて現実の再資源化を行うことが可能になる。これによりゼロエミッションが実現に向かうこととなる。
【０００５】
【特許文献１】
特開２００１−３０６８５５号公報
【０００６】
【発明が解決しようとする課題】
しかし、上記従来の再資源化技術検索システムでは、必要な再資源化技術データの検索を適格に行い難い。
【０００７】
すなわち、この再資源化技術検索システムでは、クライアントコンピュータがネットワークを介してサーバコンピュータに接続され、サーバコンピュータの検索手段が再資源化技術データベースに保存された再資源化技術データを検索する際、検索したい再資源化技術のキーワードと再資源化技術データベースに保存された再資源化技術データとが一致しない場合、検索を行うことができない。このため、ユーザは、この再資源化技術検索システムによって再資源化技術データの検索を行おうとする場合、自らが思いつく多くのキーワードを入力することによって検索を行わざるを得ない。また、こうして再資源化技術データベースからキーワードを含む再資源化技術データを抽出したとしても、抽出された再資源化技術データの中には不要な再資源化技術データも多く含まれており、抽出された再資源化技術データの中に真に必要な再資源化技術データが含まれている場合には、ユーザは自らが思いつくキーワードによって真に必要な再資源化技術データにさらに絞り込む必要がある。抽出された再資源化技術データの中に真に必要な再資源化技術データが含まれていない場合さえあり得る。こうして、ユーザは検索に時間を要してしまうのである。
【０００８】
他方、現在、各企業では様々な独自の再資源化技術を研究し、実際に利用している。これらの情報は、特許を取得したり、自社のホームページや関連会社やグループの広報で公開したり、新聞で広く公開しているものの、他社が同じような技術を使いたい時、その技術を提供できる企業を効率よく探すことは非常に難しい。また、各企業が所有している技術情報も電子データであったり、独自のデータベースであったり、紙面であったりと、散在しているため、現状では、そういった企業間でのお互いの情報のやり取りがなかなか行えない仕組みになっている。
【０００９】
本発明は、上記従来の実情に鑑みてなされたものであって、必要な再資源化技術データの検索を容易かつ適格に行うことができる再資源化技術検索システムを提供することを解決すべき課題としている。
【００１０】
【課題を解決するための手段】
本発明の再資源化技術検索システムは、複数の再資源化技術データからなり、未利用物質名及び未利用物質成分の少なくとも一つを含む項目により分類された再資源化技術データベースと、該再資源化技術データベースから特定の該再資源化技術データを検索する検索手段とを備え、
該検索手段は、該未利用物質名及び該未利用物質成分の少なくとも一つの入力を求める入力手段と、該再資源化技術データベースから該入力手段に入力されたキーワードを含む前記再資源化技術データを抽出する抽出手段と、該入力手段に入力された該キーワードを類似関係にある類似ワードに対応させる類義語データベースと、該類義語データベースから該キーワードと該類似ワードとを対応させる対応手段とを有し、
前記抽出手段は該再資源化技術データベースから該キーワード又は該類似ワードを含む該再資源化技術データを抽出することを特徴とする。
【００１１】
本発明の再資源化技術検索システムは、再資源化技術データベースと検索手段とを備えている。再資源化技術データベースは、複数の再資源化技術データからなり、未利用物質名及び未利用物質成分の少なくとも一つを含む項目により分類されている。この再資源化技術データベースの構築は、全国様々な企業の再資源化する際の技術を特許、新聞、雑誌、インターネットのホームページ等から収集し、各項目に見合う情報を抜き出し、入力することによって可能である。また、検索手段は入力手段と抽出手段とを有している。入力手段は、未利用物質名及び未利用物質成分の少なくとも一つの入力を求めるものである。抽出手段は、再資源化技術データベースから入力手段に入力されたキーワードを含む再資源化技術データを抽出するものである。こうして、この再資源化技術検索システムによって、再資源化技術データベースから特定の再資源化技術データを検索することができる。
【００１２】
特に、この再資源化技術検索システムは、検索手段が類義語データベースと対応手段とを有している。類義語データベースは、入力手段に入力されたキーワードを類似関係にある類似ワードに対応させるものである。対応手段は、類義語データベースからキーワードと類似ワードとを対応させるものである。そして、抽出手段が再資源化技術データベースからキーワード又は類似ワードを含む再資源化技術データを抽出する。このため、この再資源化技術検索システムでは、入力手段に入力されたキーワードが類義語データベース及び対応手段によって類似ワードに対応させられ、キーワード又は類似ワードを含む再資源化技術データが抽出手段によって再資源化技術データベースから抽出されることとなる。こうして、この再資源化技術検索システムでは、ユーザが検索したい再資源化技術のキーワードを自ら思いつくまま入力すれば、そのキーワードだけでなく、そのキーワードと類似関係にある類似ワードでも検索が行われることとなる。
【００１３】
また、この再資源化技術検索システムでは、再資源化技術データベースが未利用物質名及び未利用物質成分の少なくとも一つを含む項目により分類されているため、散在する企業や事業所の持つ再資源化技術をとりまとめ、様々なフォーマットでまとめられて各技術を統一された独自フォーマットでデータベース化することが可能である。
【００１４】
したがって、本発明の再資源化技術検索システムによれば、必要な再資源化技術データの検索を容易かつ適格にに行うことができる。これにより、現実の再資源化が促進され、ゼロエミッションがさらに実現に向かうこととなる。
【００１５】
類似ワードは、リサイクル用語や品名に特化したものであり、再資源化技術のキーワードに関する類義語、同意語、かな文字及び入力ミスからなる用語等を採用することができる。
【００１６】
本発明の再資源化技術検索システムにおいて、再資源化技術データベースは、未利用物質の種類、未利用物質状態、排出側業種及び排出側業種詳細を含み、検索手段は、未利用物質名、未利用物質成分、未利用物質の種類、未利用物質状態、排出側業種及び排出側業種詳細の少なくとも一つにより、抽出手段によって抽出された再資源化技術データに重み付けを行なう重み付け手段を有することが好ましい。再資源化技術データベースが未利用物質の種類、未利用物質状態、排出側業種及び排出側業種詳細を含めば、よりユーザが特定の再資源化技術データを取得し易く、現実の再資源化を行い易い。この場合、キーワードや類似ワードが多くなるため、検索手段が重み付け手段を有することが好ましい。重み付け手段は、未利用物質名、未利用物質成分、未利用物質の種類、未利用物質状態、排出側業種及び排出側業種詳細の少なくとも一つにより、抽出手段によって抽出された再資源化技術データに重み付けを行なう。重み付けは、ユーザが特定の再資源化技術データを取得し易く、その再資源化技術データに基づいて現実の再資源化を行い易いものを重視して設定される。この重み付けは、数値等により行い得る。
【００１７】
【発明の実施の形態】
以下、本発明の実施形態を図１〜１４を参照しつつ説明する。
【００１８】
実施形態の再資源化技術検索システムは、図１に示すように、提供者のサーバコンピュータ１と、このサーバコンピュータ１にインターネットを介して接続可能な複数のユーザのクライアントコンピュータ２とからなる。
【００１９】
サーバコンピュータ１には、図２に示すように、様々な排出側業種によって排出される廃棄物の未利用物質に関する複数の再資源化技術データからなる再資源化技術データベースＤＢ１と、再資源化技術データベースＤＢ１から特定の再資源化技術データを検索する検索手段１０とが備えられている。
【００２０】
再資源化技術データベースＤＢ１は、未利用物質名、未利用物質成分、未利用物質の種類、未利用物質状態、排出側業種及び排出側業種詳細からなる項目により分類されている。未利用物質名、未利用物質成分、未利用物質の種類及び未利用物質状態の項目は未利用物質の種類データベースＤＢ２に分類されており、排出側業種の項目は排出側業種データベースＤＢ３に分類されており、排出側業種詳細の項目は排出側業種詳細データベースＤＢ４に分類されている。こうして、再資源化技術データベースＤＢ１は、各種データベースＤＢ２〜４によって構成されている。これらのデータベースＤＢ２〜４の構築は、全国様々な企業の再資源化する際の技術を特許、新聞、雑誌、インターネットのホームページ等から収集し、各項目に見合う情報を抜き出し、入力することによってなされている。
【００２１】
検索手段１０は、未利用物質名、未利用物質成分、未利用物質の種類、未利用物質状態、排出側業種及び排出側業種詳細の少なくとも一つの入力を求める入力手段１０ａと、再資源化技術データベースＤＢ１から入力手段１０ａに入力されたキーワードを含む再資源化技術データを抽出する抽出手段１０ｂと、入力手段１０ａに入力されたキーワードを類似関係にある類似ワードに対応させる類義語データベースＤＢ５と、類義語データベースＤＢ５からキーワードと類似ワードとを対応させる対応手段１０ｃと、抽出手段１０ｂによって抽出された再資源化技術データに重み付けを行なう重み付け手段１０ｄとを有している。
【００２２】
図１に示すように、ユーザがこの再資源化技術検索システムによって特定の再資源化技術データを取得しようとする場合、クライアントコンピュータ２がインターネットを介して提供者のサーバコンピュータ１に接続される。これにより、そのクライアントコンピュータ２には、ブラウザによって図３に示す共通画面Ａと「環境影響評価手法の研究開発」の個別画面Ｂとが表示される。
【００２３】
共通画面Ａには、「トップページ」の表示ａ１、「シミュレーショントップ」の表示ａ２、「再資源化技術ＤＢ」の表示ａ３、「産業ネットワークシステム」の表示ａ４及び「再資源化事例」の表示ａ５が選択可能に表示されている。また、個別画面Ｂには、「エネルギー収支」の表示ｂ１、「再資源化」の表示ｂ２及び「里山」の表示ｂ３が選択可能に表示されている。
【００２４】
そして、共通画面Ａの「シミュレーショントップ」の表示ａ２又は個別画面Ｂの「再資源化」の表示ｂ２を選択することにより、図４に示す共通画面Ａと「環境影響評価のシミュレーション開発」の個別画面Ｃとがクライアントコンピュータ２に表示される。共通画面Ａには、上述と同様の表示ａ１〜５が選択可能に表示されており、個別画面Ｃには、「産業ネットワークシステム」の表示ｃ１、「廃棄物リサイクルシステム」の表示ｃ２、「再資源化技術検索システム」の表示ｃ３、「再資源化技術データベース」の表示ｃ４、「再資源化技術事例データベース」の表示ｃ５、「廃棄物発生データベース」の表示ｃ６及び「地理情報データベース」の表示ｃ７が選択可能に表示されている。
【００２５】
個別画面Ｃの「再資源化技術検索システム」の表示ｃ３を選択することにより、図示しない「パスワードの入力」の案内が表示される。指定されたパスワードを入力すると、図５に示す共通画面Ａと「再資源化技術検索エキスパートシステム」の個別画面Ｄとがクライアントコンピュータ２に表示される。共通画面Ａには、上述と同様の表示ａ１〜５が選択可能に表示されており、個別画面Ｄには、「再資源化技術データベース」の表示ｄ１が選択可能に表示されている。
【００２６】
こうして、図６に示すフローチャートに基づいて処理されながら、以下に示す実施形態の再資源化技術検索システムが実行される。
【００２７】
先ず、図５に示す共通画面Ａの「再資源化技術ＤＢ」の表示ａ３又は個別画面Ｄの「再資源化技術データベース」の表示ｄ１を選択することにより、図７に示す共通画面Ａと「フリーワード検索及び条件付き検索」の個別画面Ｅとがクライアントコンピュータ２に表示される。
【００２８】
図７に示す共通画面Ａには、上述と同様の表示ａ１〜５が選択可能に表示されており、個別画面Ｅには、「未利用物質」の記載欄ｅ１、「実行」の表示ｅ２、「未利用物質の種類」の選択欄ｅ３、「未利用物質名」の記載欄ｅ４、「未利用物質の状態」の記載欄ｅ５、「未利用物質の成分」ｅ６、「排出側業種」の選択欄ｅ７、「排出側業種詳細」の選択欄ｅ８及び「実行」の表示ｅ９が記載可能又は選択可能に表示されている。
【００２９】
そして、図６に示すステップＳ１では、廃棄物としての未利用物質を図７に示す「未利用物質」の記載欄ｅ１に記載して、「実行」の表示ｅ２を選択することができる。また、「未利用物質の種類」の選択欄ｅ３、「未利用物質名」の記載欄ｅ４、「未利用物質の状態」の記載欄ｅ５、「排出側業種」の選択欄ｅ６又は「排出側業種詳細」の選択欄ｅ７のいずれか一つを選択したり記載したりして、「実行」の表示ｅ８を選択することもできる。こうして、図７に示すクライアントコンピュータ２では、図２に示す入力手段１０ａとして、未利用物質名及び未利用物質成分の少なくとも一つのキーワードが入力されることとなる。そして、そのキーワードが図１に示すクライアントコンピュータ２からサーバコンピュータ１に送信され、図６に示すステップＳ２に進む。
【００３０】
ステップＳ２では、図８に示す類義語データベースＤＢ５が図２に示すサーバコンピュータ１に読み込まれる。そして、図６に示すステップＳ３に進む。
【００３１】
ステップＳ３では、図８に示す類義語データベースＤＢ５によって、ステップＳ１で入力されたキーワードと類似関係にある類似ワードを検索する。類似ワードとしては、再資源化技術のキーワードに関する類義語、同意語、かな文字及び入力ミスからなる用語がある。こうして、図２に示す対応手段１０ｃにおいて、類義語データベースＤＢ５からキーワードと類似ワードとを対応させることとなる。そして、図６に示すステップＳ４に進む。
【００３２】
ステップＳ４では、図９に示す再資源化技術データベースＤＢ１が図２に示すサーバコンピュータ１に読み込まれる。図９に示す再資源化技術データベースＤＢ１は、図１０に示す未利用物質の種類データベースＤＢ２、図１１に示す排出側業種データベースＤＢ３及び図１２に示す排出側業種詳細データベースＤＢ４によって構成されており、各種データベースＤＢ１〜４が図２に示すサーバコンピュータ１に読み込まれる。こうして、図６に示すステップＳ５に進む。
【００３３】
ステップＳ５では、キーワードと類似ワードとを含む再資源化技術データが図９〜１２に示す各種データベースＤＢ１〜４から検索される。こうして、図２に示す抽出手段１０ｂとして、キーワードと類似ワードとを含む再資源化技術データが抽出される。そして、図６に示すステップＳ６に進む。
【００３４】
ステップＳ６では、再資源化技術データを図９〜１２に示す各種データベースＤＢ１〜４から検索することができるか否かを判断する。こうして検索することができた場合、検索結果は、検索結果リストとしてメモリ内にいったん蓄積され、図６に示すステップＳ７に進む。
【００３５】
ステップＳ７では、図１３に示す「検索語句項目と得点」のテーブルｈに基づき、独自の重み付けが行われる。この重み付けは、条件付き検索をおこなった際、各入力項目に対して重み付けをすることにより、ユーザが求めているものに近い順に表示させる機能であり、未利用物質情報の各入力項目を得点制とし、検索語句がヒットした場合、図１３に示す得点を積算する。さらに、入力データ検索処理が全て終了した時点での積算値により適合率を求め、適合率の高い順に検索結果を並び替え画面に表示する。そして、重み付けされた再資源化技術データは、図２に示す抽出手段１０ｂによって抽出されることとなる。このため、ユーザが特定の再資源化技術データを取得し易く、現実の再資源化を行い易い。そして、抽出された再資源化技術データが図１に示すサーバコンピュータ１からクライアントコンピュータ２に送信され、図６に示すステップＳ８に進む。
【００３６】
ステップＳ８では、図１４に示す共通画面Ａと「一覧画面」の個別画面Ｆとがクライアントコンピュータ２に表示される。
【００３７】
図１４に示す共通画面Ａには、上述と同様の表示ａ１〜５が選択可能に表示されており、個別画面Ｆには、「ヒット率」、「Ｎｏ．」、「未利用物質の種類」、「未利用物質名」、「排出業種」が表示される。ここで、「ヒット率」とは、ステップＳ７で重み付けがされた項目の得点である。また、「Ｎｏ．」とは、図９〜１２に示す各種データベースＤＢ１〜４に保存されている再資源化技術データの管理番号である。こうして、図１４に示す個別画面Ｆには、「ヒット率」及び「Ｎｏ．」に応じた「未利用物質の種類」、「未利用物質名」及び「排出業種」が得点の順に表示されることとなる。このため、重み付けの順に「未利用物質の種類」等のリストを表示することができる。さらに、「未利用物質の種類」、「未利用物質名」及び「排出業種」に対応した再資源化技術データの管理番号の各表示ｆ１が選択可能に表示されている。こうして、その各表示ｆ１を選択することにより、図６に示すステップＳ９に進む。
【００３８】
ステップＳ９では、図示しない「再資源化技術の詳細」の表示画面が図１に示すクライアントコンピュータ２に表示される。こうして、ステップＳ８で選択した各表示ｆ１に関する再資源化技術データが表示されることとなり、再資源化技術の詳細が表示されることとなる。
【００３９】
また、ステップＳ６では、再資源化技術データを図９〜１２に示す各種データベースＤＢ１〜４から検索することができなかった場合、図６に示すステップＳ１０に進む。
【００４０】
そして、ステップＳ１０では、図示しない「該当結果なし」の表示画面が図１に示すクライアントコンピュータ２に表示される。こうして、図６に示すステップＳ１に戻ることとなる。
【００４１】
ここで、ステップＳ１において、再資源化技術に全く関係のないキーワードを検索した場合、ステップＳ１０に進むことがあるものの、ステップＳ１において、再資源化技術に関する何らかのキーワードを検索した場合、概ねステップＳ２〜９まで進むこととなる。
【００４２】
こうして、この再資源化技術検索システムでは、入力手段１０ａに入力されたキーワードが類義語データベースＤＢ５及び対応手段１０ｃによって類似ワードに対応させられ、キーワード又は類似ワードを含む再資源化技術データが抽出手段１０ｂによって再資源化技術データベースＤＢ１から抽出されることとなる。このため、この再資源化技術検索システムでは、ユーザが検索したい再資源化技術のキーワードを自ら思いつくまま入力すれば、そのキーワードだけでなく、そのキーワードと類似関係にある類似ワードでも検索が行われることとなる。
【００４３】
以上のように、この再資源化技術検索システムによれば、どんなユーザであっても、インターネット上からサーバコンピュータ１にある再資源化技術データベースＤＢ１にアクセスすることにより、散在している再資源化に関する技術情報を簡単に入手することができる。ユーザはここで必要とする技術を調べ、検索結果から該当する技術を持つ企業に連絡し、技術提供を依頼し、自社の廃棄物リサイクルに役立てることができる。また、この再資源化技術検索システムは、自社の廃棄物を他社の原材料として役立てる等の企業間廃棄物授受を行う際の事前調査の基本データとしても役に立つ。さらに、これらの技術検索は、その分野の専門家でなくても手軽に最適検索結果を導き出すことができるものである。
【００４４】
したがって、実施形態の再資源化技術検索システムによれば、必要な再資源化技術データの検索を容易かつ適格にに行うことができる。これにより、現実の再資源化が促進され、ゼロエミッションがさらに実現に向かうこととなる。
【図面の簡単な説明】
【図１】実施形態に係り、再資源化技術検索システムに関する全体構成図である。
【図２】実施形態に係り、再資源化技術検索システムの詳細図である。
【図３】実施形態に係り、クライアントコンピュータに表示される画面図である。
【図４】実施形態に係り、クライアントコンピュータに表示される他の画面図である。
【図５】実施形態に係り、クライアントコンピュータに表示される再資源化技術検索システムの画面図である。
【図６】実施形態に係り、再資源化技術検索システムのフローチャートである。
【図７】実施形態に係り、クライアントコンピュータに表示される入力手段の画面図である。
【図８】実施形態に係り、サーバコンピュータに保存された類義語データベースの画面図である。
【図９】実施形態に係り、サーバコンピュータに保存された再資源化技術データベースの画面図である。
【図１０】実施形態に係り、サーバコンピュータに保存された未利用物質の種類データベースの画面図である。
【図１１】実施形態に係り、サーバコンピュータに保存された排出側業種データベースの画面図である。
【図１２】実施形態に係り、サーバコンピュータに保存された排出側業種詳細データベースの画面図である。
【図１３】実施形態に係り、サーバコンピュータに保存された重み付け手段の画面図である
【図１４】実施形態に係り、クライアントコンピュータに表示される抽出手段の画面図である。
【符号の説明】
ＤＢ１…再資源化技術データベース
１０…検索手段（１０ａ…入力手段、１０ｂ…抽出手段、ＤＢ５…類義語データベース、１０ｃ…対応手段、１０ｄ…重み付け手段）
【図１】
2004310661.tif 000003
【図２】
2004310661.tif 000004
【図３】
2004310661.tif 000005
【図４】
2004310661.tif 000006
【図５】
2004310661.tif 000007
【図６】
2004310661.tif 000008
【図７】
2004310661.tif 000009
【図８】
2004310661.tif 000010
【図９】
2004310661.tif 000011
【図１０】
2004310661.tif 000012
【図１１】
2004310661.tif 000013
【図１２】
2004310661.tif 000014
【図１３】
2004310661.tif 000015
【図１４】
2004310661.tif 000016